(57)【要約】【課題】施錠装置が設けられた建築用シャッター装置をサッシ窓の屋外側に設ける場合において、シャッターカーテンの開閉操作が操作性よくできるように構成する。【解決手段】サッシ窓２は、左側の屋外側ガラス戸体４を開放してシャッターカーテン６の開閉操作を行なうものとする一方、錠ユニット８を、シャッターカーテン６下端部の座板１１の左側に偏寄して回転自在に支持される回転体１２ｄと、該回転体１２ｄに連結され、回転体１２ｄの左右方向他方において上方へ揺動変位することで回転体１２ｄを回転してラッチ錠Ｒを解錠する解錠レバー１２ｇとにより構成するとともに、解錠レバー１２ｇに連結される操作紐１４の遊端に設けた握り部材１５を左側のガイドレール１０のガイド溝１０ａに保持する構成とする。【選択図】図１
2010248887.tif 000002
【特許請求の範囲】
【請求項１】
左右方向への変位により開口部を開閉する屋内外一対の戸体を備えた引き違い式のサッシ窓の屋外側に、開口部の左右両側に設けたガイドレールのガイド溝に左右側部が嵌挿され、上下方向の変位により開口部を開閉するシャッターカーテンを備えたシャッター装置を設け、シャッターカーテンの下端部に、シャッターカーテンの全閉姿勢への変姿でシャッターカーテンを施錠状態とし、解錠部材の解錠操作で解錠する施錠装置を設け、解錠部材に連結された紐状の操作具の上動操作で施錠装置の解錠とシャッターカーテンの開放とが行えるよう構成するにあたり、前記サッシ窓の一方の戸体を開放してシャッターカーテンの開閉操作を行なうものとする一方、解錠部材を、シャッターカーテン下端部の左右方向一方に偏倚して回転自在に支持される回転体と、該回転体に連結され、回転体の左右方向他方において上方へ揺動変位することで回転体を回転して施錠装置を解錠するレバー体とにより構成するとともに、レバー体に連結される操作具の遊端部に握り部材を設け、該握り部材を、シャッターカーテンの一方側端部に保持する構成としたことを特徴とするサッシ窓用のシャッター装置。
【請求項２】
サッシ窓は、解錠部材に対向する屋外側に位置する戸体を開放するように構成されていることを特徴とする請求項１に記載のサッシ窓用のシャッター装置。
【請求項３】
握り部材は、先端からガイド溝に挿抜自在に挿し込み保持されるように構成したことを特徴とする請求項１または２に記載のサッシ窓用のシャッター装置。
【請求項４】
左右方向への変位により開口部を開閉する屋内外一対の戸体を備えた引き違い式のサッシ窓の屋外側に、開口部の左右両側に設けたガイドレールのガイド溝に左右側部が嵌挿され、上下方向の変位により開口部を開閉するシャッターカーテンを備えたシャッター装置を設け、シャッターカーテンの下端部に、シャッターカーテンの全閉姿勢への変姿でシャッターカーテンを施錠状態とし、解錠部材の解錠操作で解錠する施錠装置を設け、解錠部材に紐状の操作具の一端部を連結して、操作具の上動操作で施錠装置の解錠とシャッターカーテンの開放とが行えるよう構成するにあたり、解錠部材を、シャッターカーテン下端部の左右方向一方に偏倚して回転自在に支持される回転体と、該回転体に連結され、回転体の左右方向他方において上方へ揺動変位することで回転体を回転して施錠装置を解錠するレバー体とにより構成するとともに、レバー体に連結される操作具の遊端部に握り部材を設け、該握り部材を、シャッターカーテンの一方側端部に保持する構成とする一方、前記サッシ窓は、解錠部材に対向する屋外側に位置する戸体を開放してシャッターカーテンの開閉操作を行なうように構成したことを特徴とするシャッター装置付きのサッシ窓。
【発明の詳細な説明】
【技術分野】
【０００１】
本発明は、住宅の窓部等に配されるサッシ窓用のシャッター装置およびシャッター装置付きのサッシ窓の技術分野に関するものである。
【背景技術】
【０００２】
一般に、建築物に設けられるシャッター装置のなかには、開口部の左右両側にガイドレールを配し、該ガイドレールに移動案内を受ける状態でシャッターカーテンが開閉作動するよう構成したものがある。このものにおいて、防犯上の観点から、シャッターカーテンの全閉姿勢において施錠されることになるが、この場合に、シャッターカーテンを手動により開閉操作する手動式のものでは、シャッターカーテンの開閉操作に伴い施錠装置の解錠または施錠の錠操作が必要になって、操作が面倒になるという問題がある。そこで、シャッターカーテンの全閉姿勢への変姿で自動的に施錠される施錠装置を用い、前記施錠装置の解錠レバーに遠隔操作部としての操作紐を連結し、シャッターカーテンが全閉姿勢となって施錠装置が施錠されている状態では、前記操作紐を上動させることにより、施錠装置を解錠するとともに、シャッターカーテンを開放作動させ、シャッターカーテンが全開姿勢となっている状態では、開口部に垂下する操作紐を下動させることにより、シャッターカーテンを閉鎖作動させることができるように構成したものが提唱されており、このようにすることで、シャッター装置の操作性の改善が図れるようにしたものが提唱されている。
【先行技術文献】
【特許文献】
【０００３】
【特許文献１】特開２００１−７３６１０号公報
【発明の概要】
【発明が解決しようとする課題】
【０００４】
ところで、前記従来のものは、操作紐の遊端部に握り部材を設けて操作紐の操作が容易になるようにするとともに、握り部材に磁石を設けて、シャッターカーテンが全開姿勢となっている状態では、握り部材（磁石配設部）を施錠装置よりも下方の開口部に垂下させることで、握り部材を操作者にとって操作しやすい高さに位置させる一方、シャッターカーテンが全閉姿勢となっている状態では、操作紐を解錠レバーよりも上方に引き上げて磁石をシャッターカーテンの室内側面に磁着することにより、握り部材が操作者にとって操作しやすい高さに保持されるようにして、シャッターカーテンの開閉操作を行なう場合に、背伸びしたり、屈んだりすることなく操作性よく行えるようにしている。
一方、シャッター装置を住宅の窓部に設けるような場合、シャッター装置の屋内側に引き違い式のサッシ窓が設けられており、この場合に、シャッターカーテンの開閉操作はサッシ窓の屋内外一対の戸体の何れか一方を開放した状態で行なうことになる。このような設置条件の箇所に前記従来のシャッター装置を設ける場合、解錠部材がシャッターカーテン下端部の左右方向略中央部位に設けられているため、シャッターカーテンの全閉時に握り部材を解錠部材の上方に保持して操作しやすい高さに保持したとしても、左右方向位置はシャッターカーテンの中央部近傍となるため、操作紐を操作するにはサッシ窓の何れか一方の戸体を大きく開放しなければならず操作性に劣るという問題がある。これに対処するべく、操作紐を長くして握り部を一方の戸体の戸先側に磁着できるようにすることが考えられるが、このようにした場合では、シャッターカーテンの全開時に、操作紐が開口部の左右方向中央部において長く垂れ下がることになるため、操作紐が邪魔になるという別な問題が生じるうえ、シャッターカーテンの閉鎖操作時には戸体を大きく解放しなければならず、何れにしても操作性に劣るという問題が依然として残る。そのうえ、シャッターカーテンを解錠、開放操作する場合に、操作紐は斜め上方に向けて操作されることになるため、解錠部材の円滑な解錠操作ができない惧れもあり、これらに本発明の解決すべき課題がある。
【課題を解決するための手段】
【０００５】
本発明は、上記の如き実情に鑑みこれらの課題を解決することを目的として創作されたものであって、請求項１の発明は、左右方向への変位により開口部を開閉する屋内外一対の戸体を備えた引き違い式のサッシ窓の屋外側に、開口部の左右両側に設けたガイドレールのガイド溝に左右側部が嵌挿され、上下方向の変位により開口部を開閉するシャッターカーテンを備えたシャッター装置を設け、シャッターカーテンの下端部に、シャッターカーテンの全閉姿勢への変姿でシャッターカーテンを施錠状態とし、解錠部材の解錠操作で解錠する施錠装置を設け、解錠部材に連結された紐状の操作具の上動操作で施錠装置の解錠とシャッターカーテンの開放とが行えるよう構成するにあたり、前記サッシ窓の一方の戸体を開放してシャッターカーテンの開閉操作を行なうものとする一方、解錠部材を、シャッターカーテン下端部の左右方向一方に偏倚して回転自在に支持される回転体と、該回転体に連結され、回転体の左右方向他方において上方へ揺動変位することで回転体を回転して施錠装置を解錠するレバー体とにより構成するとともに、レバー体に連結される操作具の遊端部に握り部材を設け、該握り部材を、シャッターカーテンの一方側端部に保持する構成としたことを特徴とするサッシ窓用のシャッター装置である。
請求項２の発明において、サッシ窓は、解錠部材に対向する屋外側に位置する戸体を開放するように構成されていることを特徴とする請求項１に記載のサッシ窓用のシャッター装置である。
請求項３の発明において、握り部材は、先端からガイド溝に挿抜自在に挿し込み保持されるように構成したことを特徴とする請求項１または２に記載のサッシ窓用のシャッター装置である。
請求項４の発明は、左右方向への変位により開口部を開閉する屋内外一対の戸体を備えた引き違い式のサッシ窓の屋外側に、開口部の左右両側に設けたガイドレールのガイド溝に左右側部が嵌挿され、上下方向の変位により開口部を開閉するシャッターカーテンを備えたシャッター装置を設け、シャッターカーテンの下端部に、シャッターカーテンの全閉姿勢への変姿でシャッターカーテンを施錠状態とし、解錠部材の解錠操作で解錠する施錠装置を設け、解錠部材に紐状の操作具の一端部を連結して、操作具の上動操作で施錠装置の解錠とシャッターカーテンの開放とが行えるよう構成するにあたり、解錠部材を、シャッターカーテン下端部の左右方向一方に偏倚して回転自在に支持される回転体と、該回転体に連結され、回転体の左右方向他方において上方へ揺動変位することで回転体を回転して施錠装置を解錠するレバー体とにより構成するとともに、レバー体に連結される操作具の遊端部に握り部材を設け、該握り部材を、シャッターカーテンの一方側端部に保持する構成とする一方、前記サッシ窓は、解錠部材に対向する屋外側に位置する戸体を開放してシャッターカーテンの開閉操作を行なうように構成したことを特徴とするシャッター装置付きのサッシ窓である。
【発明の効果】
【０００６】
請求項１、２、４の発明とすることにより、シャッターカーテンの開閉操作を操作性よく行なうことができる。
請求項３の発明とすることにより、シャッターカーテンの材質を限定する必要がなく汎用性を高められ、しかも、シャッターカーテンの全開姿勢において操作紐が邪魔にならないようにできる。
【図面の簡単な説明】
【０００７】
【図１】図１（Ａ）はシャッターカーテンの全閉姿勢におけるシャッター装置の屋内側からの正面図、図１（Ｂ）はシャッターカーテンの全開姿勢におけるシャッター装置の屋内側からの正面図である。
【図２】窓部における平面断面図である。
【図３】図３（Ａ）、（Ｂ）はそれぞれラッチ錠を説明する正面図、側面図である。
【図４】図４（Ａ）、（Ｂ）はそれぞれ錠ユニットを説明する正面図、側面図である。
【図５】図５（Ａ）、（Ｂ）はそれぞれシャッターカーテンの全閉姿勢における握り部材の隙間への挿し込み状態を説明する平面図、側面図であり、図５（Ｃ）、（Ｄ）はそれぞれシャッターカーテンの全開姿勢における握り部材の隙間への挿し込み状態を説明する平面図、側面図である。
【図６】図６（Ａ）、（Ｂ）、（Ｃ）、（Ｄ）、（Ｅ）、（Ｆ）はそれぞれ握り部材の正面図、底面図、背面図、図６（Ａ）のＸ−Ｘ断面図、側面図、側面図である。
【発明を実施するための形態】
【０００８】
以下、本発明の第一の実施の形態について、図面に基づいて説明する。
図面において、１は住宅の窓部に設けられるバランス式（手動式）のシャッター装置であって、該窓部においては、屋外側にシャッター装置１が設けられ、該シャッター装置１の屋内側にサッシ窓２が設けられている。前記サッシ窓２は、開口部の四周に固定される窓枠２ａに、サッシ窓を構成する屋内外一対のガラス戸体３、４が引き違い式に左右方向移動自在となる状態で設けられているとともに、屋外側のガラス戸体４の屋外側に位置して網戸５が左右方向移動自在に嵌め込まれる構成となっている。
前記シャッター装置１を構成するシャッターカーテン６は、左右方向に長いスラット７の複数枚を上下方向に連結して構成されており、該シャッターカーテン６の上端部が、躯体開口部の上方に配されたシャッターケース８に正逆回転自在に内装される巻取りドラム９に連結されている。前記巻取りドラム９には、シャッターカーテン６が巻出されることに伴い、該巻出されたシャッターカーテン６の自重にバランスする付勢力が蓄勢されるように構成されたバランス弾機９ａが設けられている。そして、シャッターカーテン６は巻取りドラム６の巻取り、巻出しに伴い、左右両端部が窓部屋外側の左右に立設された左右一対のガイドレール１０のガイド溝１０ａに嵌挿されて移動案内を受ける状態で上下動するように構成されており、シャッターカーテン６を下方へ引き下げる閉鎖操作がなされることにより開口部を閉鎖する全閉姿勢となるとともに、前述したように、バランス弾機９ａが蓄勢され、上方へ引き上げる開放操作がなされることによりバランス弾機の付勢力を受けて上動し、開口部を開放する全開姿勢となるように構成されており、これらの構成は何れも従来通りである。
【０００９】
また、シャッターカーテン６は複数枚のスラット７を用いて構成されるが、各スラット７は、左右方向に長い長尺体に形成された金属材をロールフォーミングすることによって形成されるものであり、屋外側（外側）に向けて膨出するよう湾曲状に形成されたスラット片部７ａと、該スラット片部７ａの上下縁部（短尺方向両端部）に形成される側面視ロール形状で円弧面を有した第一、第二連結片部（インターロック片）７ｂ、７ｃとにより構成されている。そして、シャッターカーテン６は、下側に位置するスラット７の第一連結片部７ｂと、上側に位置するスラット７の第二連結部７ｃとを、左右方向からスライド嵌入することにより、隣接するスラット７同士の揺動自在な連結がなされ、これによって、一連状に連結されたシャッターカーテン６に構成されている。
【００１０】
一方、前記ガイドレール１０は、屋内外方向（表裏方向）に対向する一対の溝側片１０ｂ、１０ｃと、これら溝側片１０ｂ、１０ｃを左右方向外方において連結する溝底片１０ｄとにより、左右方向内方が開口し、シャッターカーテン６の左右の側縁部が上下方向移動自在に嵌挿するガイド溝１０ａを構成している。前記ガイド溝１０ａの溝開口１０ｅには、それぞれ対向する側が開口するモヘアポケット１０ｆがレール長方向全長にわたって形成されており、これらモヘアポケット１０ｆに、シャッターカーテン２の保護部材であるとともに騒音防止効果を図るためのモヘア１０ｇの基端部が抜止め状に嵌入支持されるように構成されている。
【００１１】
また、シャッターカーテン６の最下端には座板１１が設けられているが、該座板１１は、上下方向を向く垂直面で構成されるスラット片部１１ａと、該スラット片部１１ａの下方から屋内側に延出する水切り片部１１ｂと、スラット片部１１ａの上縁部に形成されるインターロック片部１１ｃとを備えて構成されており、該インターロック片部１１ｃを介して上側のスラット７に連結されている。前記スラット片部１１ａ屋内側面には、水切り片部１１ｂの上方に位置して上下一対の突片１１ｄが屋内側に向けて突出形成されており、これら突片１１ｄにより左右方向に貫通する蟻溝状の凹部１１ｅが長手方向全長にわたって形成されている。
【００１２】
そして、座板１１には左右方向一方に偏倚する部位であって、本実施の形態では、サッシ窓２の全閉姿勢において、通常の使用状態において優先的に開放操作がなされる屋外側（左側）のガラス戸体４の左右方向中央部よりも戸先側（左側）に対向する部位に位置して施錠装置（ラッチ錠）Ｒの解錠部材となる錠ユニット１２が設けられている。因みに、錠ユニット１２は、座板１１の左右方向一方（左側）に偏倚して設けられていればよく、ガラス戸体の左右幅によっては優先的に開放操作される一方（左側）のガラス戸体の左右方向中央部よりも戸尻側に位置して設けられていてもよい。
前記ラッチ錠Ｒは、基端部が錠ユニット１２に連繋され、左右方向に進退自在に変位する左右一対のラッチバー１２ａ、１２ｂを備えて構成されており、該ラッチバー１２ａ、１２ｂの先端部が、シャッターカーテン６が全閉姿勢になることに伴い左右のガイドレール１０の下端部にそれぞれ設けられたラッチ受け１０ｈに自動的に係止して、全閉姿勢のシャッターカーテン６の開放を規制する施錠状態とするように構成されている。
ここで、シャッターカーテン６を開閉操作する場合に、窓部屋内側に位置するサッシ窓２の屋内外ガラス戸体３、４の何れか一方を開放して操作することになるが、本実施の形態では、前述したように、図１において、左側の屋外側ガラス戸体４を右方にスライド開放してシャッターカーテン７の開閉操作をするのが通常の操作となっており、この場合に、右側の屋内側ガラス戸体３の戸尻側端部と、左側の屋外側ガラス戸体４の戸尻側端部との間に設けた施錠具（クレセント錠）１３を解錠し、屋外側ガラス体４を開放操作、必要において網戸５を右方に開放操作した状態でシャッターカーテン６の開閉操作をするように構成されている。
【００１３】
前記錠ユニット１２は、座板１１の左方に偏倚して左側のガイドレール１０に近付いた部位において、座板１１の屋内側に突出する凹部１１ｅの開口を塞ぐようにして設けられている。
前記錠ユニット１２は座板１１に一体的に固定されるベースプレート１２ｃを備えて構成されており、該ベースプレート１２ｃに回転体１２ｄが回転支軸Ｇを介して回転自在に支持されており、この回転体１２ｄに、左右のガイドレール１０の各ラッチ受け１０ｈにそれぞれ係脱自在に係止する前記左右一対のラッチバー１２ａ、１２ｂの基端部がそれぞれ連結されており、回転体１２ｄの回転に伴いラッチバー１２ａ、１２ｂが左右方向に進退するように構成されている。尚、これらラッチバー１２ａ、１２ｂの錠ユニット１２から左右方向外方に延出する先端部は、それぞれ座板１１の凹部１１ｅに嵌入し、該凹部１１ｅにガイドされる状態で左右方向に進退するように構成されている。
【００１４】
前記ベースプレート１２ｃには、前記一対のラッチバー１２ａ、１２ｂをそれぞれ左右方向外方に進出するよう付勢する付勢弾機１２ｅ、１２ｆが設けられている一方、前記回転体１２ｄには、本発明のレバー体に相当する解錠レバー１２ｇの基端部が一体的に連動連結されている。前記解錠レバー１２ｇは、先端部がベースプレート１２ｃの右方に向けて突出しており、回転体１２ｄの右方に位置するように構成されている。そして、解錠レバー１２ｇは、中間部がベースプレート１２ｃに揺動支軸Ｇ１を回転軸として回転揺動するように連繋されており、解錠レバー１２ｇの先端部が上下何れかの方向に揺動変位して上方位置と下方位置とに変位することに連動して、回転体１２ｄが回転支軸Ｇを介して正逆何れかの方向に回転し、ラッチバー１２ａ、１２ｂを左右方向に進退せしめるように構成されている。本実施の形態では、付勢弾機１２ｅ、１２ｆの付勢力に抗して解錠レバー１２ｇが上動操作（上方揺動）されて上方位置に変位した場合に、ラッチバー１２ａ、１２ｂを左右方向内方に向けて退避させるように構成されている。
このように、ラッチ錠Ｒは、解錠レバー１２ｇの上動操作（上方揺動）が解錠操作となってラッチバー１２ａ、１２ｂを左右方向内方に退避させるが、解錠レバー１２ｇの上動操作を解除した場合では、前記付勢弾機１２ｅ、１２ｆの付勢力を受けて解錠レバー１２ｇが下方位置に変位するとともに、ラッチバー１２ａ、１２ｂを左右方向外方に向けて進出させる自然状態に復帰させるように構成されている。
さらに、錠ユニット１２のベースプレート１２ｃには、解錠レバー１２ｇの上方変位と下方変位とを規制する規制部１２ｈ、１２ｉとがそれぞれ形成されており、解錠レバー１２ｇが上方位置を越えて上方変位すること、下方位置を越えて下方変位することがそれぞれ規制されるように構成されている。
尚、１２ｊは錠ユニット１２を屋内側から覆蓋するカバー体である。
【００１５】
このように構成されたラッチ錠Ｒの錠ユニット１２は、シャッターカーテン６が閉鎖操作され、シャッターカーテン６が閉鎖作動している状態では、付勢弾機１２ｅ、１２ｆの付勢力を受けており、解錠レバー１２ｇは下方位置に位置し、一対のラッチバー１２ａ、１２ｂは左右方向外方に進出する自然状態となっている。そして、前記状態からシャッターカーテン６が全閉姿勢に閉鎖作動する過程では、左右のラッチバー１２ａ、１２ｂは、ガイドレール１０のラッチ受け１０ｈに当接し、この状態からさらに閉鎖作動することにより、ラッチバー１２ａ、１２ｂｄがラッチ受け１０ｈに押圧される状態で付勢弾機１２ｅ、１２ｆの付勢力に抗して左右方向内方に退避しつつ下動し、ラッチバー１２ａ、１２ｂがラッチ受け１０ｈの下方に至る（乗り越える）ことに伴い、ラッチバー１２ａ、１２ｂがラッチ受け１０ｈの下方で左右方向外方に向けて進出する自然状態となり、ラッチバー１２ａ、１２ｂとラッチ受け１０ｈとが係止することによりシャッターカーテン６の開放を規制するように構成されている。これによって、ラッチ錠Ｒは、シャッターカーテン６の全閉姿勢への変姿に伴い、自動的にシャッターカーテン６を施錠状態とするように構成されている。
これに対し、シャッターカーテン６を開放操作する場合では、錠ユニット１２の解錠レバー１２ｇを上動操作（解錠操作、上方揺動）して上方位置に変位せしめ、ラッチバー１２ａ、１２ｂを付勢力に抗して左右方向内方に向けて退避させ、ラッチバー１２ａ、１２ｂとラッチ受け１０ｈとの係止を解除するべくラッチ錠Ｒの解錠操作をしながら、シャッターカーテン６を開放操作することにより、シャッターカーテン６が解錠されて開放するするように構成されている。
【００１６】
そして、前記ラッチ錠Ｒの解錠レバー１２ｇには、本発明の操作具に相当する操作紐１４の一端部１４ａが連結されるが、その連結位置は、解錠レバー１２ｇが下方位置に位置する自然状態において、回転体１２ｄの支軸よりも右斜め上方に位置して連結されている。前記操作紐１４は、樹脂製ロープ、紐体、帯状体、ワイヤ等、長尺状で、かつ、可撓性のある材料で構成することができ、本実施の形態では、樹脂製ロープが用いられている。そして、操作紐１４の遊端部となる他端部１４ｂには握り部材１５が連結されており、操作紐１４、または、握り部材１５を把持して上下方向に操作することにより、該操作力が解錠レバー１２ｇを介してシャッターカーテン６に作用して、シャッターカーテン６の開閉作動がなされるように構成されている。前記握り部材１５は、シャッターカーテン６の開閉操作の後に、シャッターカーテン６の左側端部であって、錠ユニット１２の配設位置に近い側の左側のガイドレール１０のガイド溝１０ａに形成される隙間に挿抜自在に差し込むことで、該隙間に挟持保持されるように構成されており、これによって、操作紐１４の長さを殊更長くすることなく、握り部材１５（操作紐１４）をシャッターカーテン６の左側端部の操作しやすい適宜高さ位置に保持させることができるように構成されている。
【００１７】
前記握り部材１５は、硬質、または、半硬質のゴム質樹脂材であって、例えば、スチレン−ブタジエンゴム等の合成ゴムを用いて形成することにより、所定の弾性変形が自在となるように構成されている。そして、握り部材１５は、ガイド溝１０ａの隙間への挿し込み姿勢において、左右方向に長い長方形状をしており、長尺方向一半部に形成される厚板状の把持部１５ａと、該把持部１５ａの他端側に形成され、ガイド溝１０ａの溝開口１０ｅに形成される隙間に挿抜自在に挿し込まれる作用部１５ｂと、該作用部１５ｂの挿し込み方向先端側に形成されて、作用部１５ｂに先行してガイド溝１０ａに挿し込まれ、握り部材１５のガイド溝１０ａに対する挿し込み深さを深くする薄板状の誘導部１５ｃとにより構成されている。
さらに、握り部材１５は、図６に示すように、屋内外一対の板面１５ｄ、１５ｅのうち、作用部１５ｂにおける屋内側板面１５ｄは、挿し込み方向先端側ほど屋外側板面１５ｅ側に偏倚する傾斜面となって作用部１５ｂが楔形状となるように形成されており、作用部１５ｂの最大の板厚となり、かつ、把持部１５ａにおける板厚となる握り部材１５の最大板厚Ｔは、ガイド溝５ｄの溝開口１０ｅの溝幅Ｔ１よりも長く寸法設定されており、握り部材１５の作用部１５ｂは、ガイド溝１０ａの溝開口１０ｅに形成される隙間に挿し込んだとき挿し込み深さに応じて板厚が変化するように構成されている。そして、スラット７の形状、あるいは、スラット７が嵌挿されていないことにより、溝開口１０ｅに形成される隙間の大きさが変化するが、該変化する隙間に対応して握り部材１５の挿し込み深さを調整することで、ガイド溝１０ａの隙間に握り部材１５を挟持保持させることができるように構成されている。
因みに、本実施の形態の握り部材１５は、シャッターカーテン６（スラット７）に当接する側の屋外側板面１５ｅが湾曲状に形成されており、これによって、湾曲状のカーテン面（スラット面）に沿わせて挿し込むことができて挿し込み操作が円滑にできるうえ、挿し込まれた握り部材１５とスラット７との接触面積を大きく確保することができて、握り部材１５を溝開口１０ｅに挟持保持した状態が安定し、確実な挟持保持状態となるように構成されている。
尚、屋外側板面１５ｅには屋内側に向けて凹設された凹部１５ｆが形成されており、操作紐１４は、前記凹部１５ｄに連通して形成された引き出し用孔１５ｇを介して基端面から引出されるように構成されている。
【００１８】
さらに、作用部１５ｂにおける屋内側板面１５ｄには、屋内側に突出し、握り部材１５の上下方向に長い突起１５ｈが傾斜方向に所定間隔を存して複数形成されており、握り部材１５をガイド溝１０ａの溝開口１０ｅに挿し込む場合に、隣接する突部１５ｈ同士の間にガイドレール１０のモヘアポケット１０ｆの抜止め片１０ｇを入り込ませるように挿し込むことにより、溝開口１０ｅの隙間に確実に、しかも、握り部材１５が傾くことなく挟持保持されるように構成されている。尚、突起１５ｈは、握り部材１５を円滑に抜き挿しできる程度に形成されている。
【００１９】
そして、握り部材１５は、シャッターカーテン６の全閉姿勢では、図５（Ａ）、（Ｂ）に示すように、ガイド溝１０ａの溝開口１０ｅの屋内側に形成される隙間であって、シャッターカーテン６の屋内側面とガイドレール５の屋内側溝側片１０ｂに形成されるモヘアポケット１０ｆとの間に形成される隙間に挿し込まれて挟持保持され、シャッターカーテン６の全開姿勢では、図５（Ｃ）、（Ｄ）に示すように、ガイド溝１０ａの溝開口１０ｅに深く差し込まれて挟持保持されるように構成されており、これら各挟持保持される状態において、握り部材１５の把持部１５ａはガイド溝１０ａから外部に露出して、開口部側から摘みやすいようになっている。これによって、シャッターカーテン６の開閉操作後に、握り部材１５をガイドレール５の操作しやすい高さ位置に挟持保持しておくことができて、つぎのシャッターカーテン６の開閉操作をする際に、無理な姿勢をすることなく握り部材１５の把持部１５ａを摘み、操作紐１４の操作ができるように構成されている。
【００２０】
このように構成されたシャッター装置１とサッシ窓２とが設けられた窓部において、シャッター装置１、サッシ窓２の両者が全閉、施錠されている状態からシャッターカーテン６の開放操作を行なう場合では、サッシ窓２の施錠具（クレセント錠）１３の操作レバー１３ａを操作して解錠し、左側の屋外側ガラス戸体４を開放した状態で行うことになる。このとき、シャッターカーテン６を操作するための握り部材１５は、左側のガイドレール１０の手の届きやすい高さ位置において、嵌挿されたシャッターカーテン６との間に形成される隙間に挿し込まれて保持されている。このため、操作者は、握り部材１５を摘める程度の僅かな開放量で屋外側ガラス戸体４を開放すれば握り部材１５を把持することができるように構成されている。そして、この僅かに外側ガラス戸体４を開放した状態において、握り部材１５（操作紐１４）を上方に向けて引き上げる上動操作をした場合では、操作紐１４は解錠レバー１２ｇを斜め左上方向に向けて押し上げる（引っ張る）ことになるが、解錠レバー１２ｇの操作紐１４との連結部位は、回転体１２ｄの右斜め上方位置に位置しており、揺動支軸Ｇ１を支点として揺動する解錠レバー１２ｇは、左斜め上方向への揺動変位が解錠操作となるように設定されている。これによって、屋外側ガラス戸体４を僅かに開放した状態で操作紐１４を上動操作することにより、解錠レバー１２ｇを円滑、かつ、軽快に上方位置に揺動変位させることができるように構成されている。
そして、操作紐１４の上動力が解錠レバー１２ｇに作用して、解錠レバー１２ｇを上方位置に変位することによりラッチ錠Ｒが解錠し、続いて、操作紐１４の上動力が上方位置にある解錠レバー１２ｇを介してシャッターカーテン６の座板１１に作用し、ラッチ錠Ｒを解錠したままの状態でシャッターカーテン６が開放作動するように構成されている。このように、シャッターカーテン６の開放操作では、操作者が窓サッシ２の屋外側ガラス戸体４を僅かに開放して、左側のガイドレール１０から無理な姿勢をすることなく操作紐１４（握り部材１５）を把持し、上動操作することでシャッターカーテン６の開放作動を容易に行えるように構成されている。
尚、操作紐１４の上動操作が停止されて、操作紐１４に作用する上動力が消失すると、解錠レバー１２ｇは自動的に下方位置に復帰して自然状態となり、シャッターカーテン６の全開姿勢への変姿の過程で握り部材１５（操作紐１４）から手を放すと、握り部材１５（操作紐１４）は自重垂下する状態で開口部に垂下する。
【００２１】
一方、シャッターカーテン６の全開姿勢において、操作紐１４が開口部に垂下した状態であると、閉鎖操作する際に操作紐１４が手の届く部位に位置していて操作しやすいが、操作紐１４や握り部材１５が開口部に露出して邪魔になるという問題と、強風が発生した場合に握り部材１５が周辺の部材に当接して騒音を発生するという問題がある。そこで、このものにおいて、握り部材１５は、シャッターカーテン６が全開姿勢となって、ガイドレール１０にガイドされていない状態のガイド溝１０ａに対して挟持保持することができ、握り部材１５をガイドレール１０に対して挿し込む位置を、操作者が背伸びることなく手が届いて操作しやすい位置とすることができるように構成されている。これによって、操作者が全開姿勢となっているシャッターカーテン６を閉鎖操作する場合に、無理な姿勢をすることなく操作紐１４（握り部材１５）を把持することができて、円滑な操作を操作性よく行うことができ、しかも、操作紐１４や握り部材１５が邪魔になったり、強風時に握り部材１５が周辺部材に当接して騒音を発生するようなことを防止できるように構成されている。
【００２２】
また、前記シャッターカーテン６を全開姿勢として窓サッシ２が閉鎖、施錠されている状態からシャッターカーテン６を閉鎖操作する場合では、通常開閉操作する屋外側ガラス戸体４を、握り部材１５を摘むことができる程度に僅かに開放し、握り部材１５の把持部１５ａを把持し、ガイド溝１０ａの溝開口１４ｅから作用部１５ｂを抜き出し、そのまま握り部材１５（操作紐１４）を把持する状態で下方に向けて引き下ろす下動操作をすることにより、該下動力が下方位置の解錠レバー１２ｇを介してシャッターカーテン６に作用し、これによって、シャッターカーテン６が閉鎖作動するように構成されている。そして、シャッターカーテン６が全閉姿勢となった状態では、前述したように、握り部材１５を屈むことなく手が届く操作しやすい位置のガイド溝１０ａの溝開口１０ｅの屋内側に形成される隙間に挿し込むことにより、握り部材１５をつぎの開放操作をしやすい位置に挟持保持できるように構成されている。
【００２３】
叙述の如く構成された本形態において、操作紐１４の操作によりラッチ錠Ｒの解錠とともにシャッターカーテン６の開放、閉鎖をすることができるものであるが、シャッターカーテン６を施錠−解錠するための回転体１２ｄを備えたラッチ錠Ｒの錠ユニット１２は、サッシ窓２の通常開閉する屋外側ガラス戸体４側（左側）に偏倚して設けられており、錠ユニット１２を解錠操作するための解錠レバー１２ｇに連結された操作紐１４の握り部材１５は左側のガイドレール１０に挟持保持させることでシャッターカーテン６の左側端部に保持される構成であるので、操作紐１４の長さを殊更長くする必要がないうえ、通常開閉操作する屋外側ガラス戸体４を握り部材１５の抜挿操作ができる程度に僅かに開放するだけで握り部材１５（操作紐１４）を把持して操作することができて、操作性の改善を図ることができる。
さらに、このものでは、解錠レバー１２ｇが回転体１２ｄの右方に突出配設されており、斜め左上方向への揺動変位によりラッチ錠Ｒの解錠操作ができるので、外側ガラス戸体４を僅かに開放した状態で操作紐１４を上動操作することで解錠レバー１２ｇを円滑、かつ、軽快に解錠操作することができ、これによって、サッシ窓２の屋外側に配されて、サッシ窓２の開閉、シャッターカーテン６の施錠−解錠操作を伴う一連のシャッターカーテン６の開閉操作を、面倒、かつ、煩雑な操作とすることなく実施することができて、操作性の改善を図ることができる。
【００２４】
さらに、本発明が実施されたものにあっては、サッシ窓２の屋外側ガラス戸体４を僅かに開放するだけで、サッシ窓２の屋外側に配されたシャッターカーテン６の開閉操作ができるようにしたものであるが、握り部材１５は、ガイドレール１０のガイド溝１０ａに抜挿自在に挟持保持させる構成としたので、シャッターカーテンの材質を限定する必要がなく汎用性を高めることができ、そのうえ、シャッターカーテン６の全開姿勢において操作紐１４が邪魔になるようなことがないようにできる。
因みに、握り部材としては、シャッターカーテンの一方部位に磁着することで操作紐を保持する構成としたのものを用いることもできるが、このようにした場合、シャッターカーテンの全開姿勢において操作紐を手の届きやすい位置に保持するためには、操作紐を開口部に垂下させることになる。このため、シャッターカーテンの開放時では、前記実施の形態と同様に一方側のガラス戸体を僅かに開放することで操作することができるが、シャッターカーテンを閉鎖しようとする場合、即ちシャッターカーテンの全開姿勢では、開口部に垂下している操作紐が手に届くところまでガラス戸体を開放する必要がある。
【産業上の利用可能性】
【００２５】
本発明は、住宅等の建築物の開口部に設けられる建築用開閉装置に利用することができる。
【符号の説明】
【００２６】
１  シャッター装置
２  サッシ窓
４  屋外側ガラス戸体
６  シャッターカーテン
７  スラット
１０  ガイドレール
１０ａ  ガイド溝
１１  座板
１２  錠ユニット
１２ｄ  回転体
１２ｇ  解錠レバー
１４  操作紐
１５  握り部材
【図１】
2010248887.tif 000003
【図２】
2010248887.tif 000004
【図３】
2010248887.tif 000005
【図４】
2010248887.tif 000006
【図５】
2010248887.tif 000007
【図６】
2010248887.tif 000008